(57)【要約】契約の内容を契約者以外の第三者が保管し、必要に応じて契約内容を証明することができる契約保管方法を提供することを目的とする。契約内容の情報が保持された契約者サーバに接続した被契約者端末に該契約内容を表示させる契約内容表示ステップと、前記被契約者端末に前記契約内容表示ステップで表示させた契約内容の保管に同意する保管同意情報を入力させる契約保管同意ステップと、契約保管サーバに、前記契約保管同意ステップにより入力させた前記保管同意情報に対応する契約内容を保管させる契約保管ステップと、前記契約保管ステップで保管させた契約内容を識別する契約ＩＤを発行させるＩＤ発行ステップと、前記ＩＤ発行ステップで発行させた前記契約ＩＤを前記契約サーバおよび前記被契約者端末に通知させるＩＤ通知ステップとから電子的契約保管方法を構成する。
2002027573.tif 000002
【特許請求の範囲】
【請求項１】
契約内容の情報が保持された契約者サーバに接続した被契約者端末に該契約内容を表示させる契約内容表示ステップと、
前記被契約者端末に前記契約内容表示ステップで表示させた契約内容の保管に同意する保管同意情報を入力させる契約保管同意ステップと、
契約保管サーバに、前記契約保管同意ステップにより入力させた前記保管同意情報に対応する契約内容を保管させる契約保管ステップと、
前記契約保管ステップで保管させた契約内容を識別する契約ＩＤを発行させるＩＤ発行ステップと、
前記ＩＤ発行ステップで発行させた前記契約ＩＤを前記契約サーバおよび前記被契約者端末に通知させるＩＤ通知ステップと
を具備することを特徴とする電子的契約保管方法。
【請求項２】
前記ＩＤ通知ステップで通知させた契約ＩＤを確認したことを表す確認情報を前記契約者端末に入力させるＩＤ確認ステップと、
前記ＩＤ確認ステップで入力させた前記確認情報を前記契約保管サーバーに保管させる確認保管ステップと
をさらに具備することを特徴とする請求項１記載の電子的契約保管方法。
【請求項３】
被契約者端末に契約内容の保管に同意するか否かの入力を促す保管同意入力ステップと、
前記保管同意入力ステップでの入力の促しに対応して前記契約内容の保管に同意する入力が行われたときに、契約保管サーバに対して前記契約内容の保管を依頼する保管依頼ステップと、
前記保管依頼ステップでの依頼に対応して前記契約保管サーバに保管された前記契約内容について、前記契約保管サーバから契約を識別するための契約ＩＤを通知されるＩＤ被通知ステップと、
前記ＩＤ被通知ステップで通知された前記契約ＩＤを前記被契約者端末に転送するＩＤ転送ステップと
を具備したことを特徴とする電子的契約保管方法。
【請求項４】
前記保管同意入力ステップに先だって、前記被契約者端末に対して前記契約内容を提示する契約提示ステップ
を具備することを特徴とする請求項３記載の電子的契約保管方法。
【請求項５】
前記保管同意入力ステップが、前記被契約者端末に対して前記契約内容に同意するか否かの入力を促す契約同意入力工程を含み、
前記保管依頼ステップが、前記契約同意入力工程における前記契約同意情報の入力を条件に実行される
ことを特徴とする請求項３記載の電子的契約保管方法。
【請求項６】
前記契約書保管方法が、
前記契約者サーバが、前記被契約者に前記契約保管サーバを識別する契約保管サーバＩＤの入力を促すサーバＩＤ入力ステップ
をさらに具備し、
前記保管依頼示ステップにおける前記契約内容の保管の依頼が、前記サーバＩＤ入力ステップでの促しに対応して入力された前記契約保管サーバＩＤに対応する前記契約保管サーバに対して、前記契約内容の保管および前記契約ＩＤの発行を指示する
ことを特徴とする請求項３記載の電子的契約保管方法。
【請求項７】
前記契約保管サーバが複数あって、
前記契約内容を保管する契約保管サーバを前記複数の契約保管サーバから選択するステップ
を具備することを特徴とする請求項３記載の電子的契約保管方法。
【請求項８】
前記契約保管サーバが複数あって、
前記契約内容が、前記複数の契約保管サーバに保管される
ことを特徴とする請求項３記載の電子的契約保管方法。
【請求項９】
被契約者端末が契約保管サーバに接続する接続ステップと、
被契約者端末で、前記契約保管サーバに保管された契約内容の契約ＩＤを入力するＩＤ入力ステップと、
前記ＩＤ入力ステップで入力された前記契約ＩＤに対応する契約内容を前記被契約者端末に提示する契約内容提示ステップと
を具備することを特徴とする電子的契約証明方法。
【請求項１０】
契約内容を被契約者端末に通知する契約内容通知部と、
前記契約内容通知部によって契約内容を通知された前記被契約者端末に契約内容の保管に同意する保管同意情報の入力を促し、該保管同意情報を受付ける契約保管同意受付部と、
前記契約保管同意受付部による保管同意情報の受付に対応して、契約保管サーバに対して前記契約内容の保管を依頼する契約保管依頼部と、
前記契約保管依頼部による依頼に対応して保管された契約を識別する契約ＩＤを前記契約保管サーバから通知され、該契約ＩＤを前記被契約者端末に転送する契約ＩＤ転送部と
を具備することを特徴とする契約者サーバ。
【請求項１１】
契約内容の保管依頼を受付ける契約保管依頼受付部と、
前記契約保管依頼受付部で保管依頼を受付けた前記契約内容の保管を指示する契約保管指示部と、
前記契約保管依頼受付部で保管依頼を受付けた前記契約を識別する契約ＩＤを発行する契約ＩＤ発行部と、
前記契約ＩＤ発行部で発行された前記契約ＩＤを通知する契約ＩＤ通知部と
を具備することを特徴とする契約保管サーバ。
【請求項１２】
前記契約保管サーバが、
前記契約ＩＤの受信に対応して、該契約ＩＤに対応する契約内容を提示する保管契約提示部と、
前記契約ＩＤ通知部で通知した前記契約ＩＤを確認したことを表す契約ＩＤ確認情報を受付ける契約ＩＤ確認受付部と
をさらに具備することを特徴とする請求項９記載の契約保管サーバ。
【請求項１３】
請求項１０記載の契約者サーバと、請求項１１記載の契約保管サーバと
を具備することを特徴とする電子的契約保管システム。
【請求項１４】
請求項１０記載の契約者サーバまたは請求項１１記載の契約保管サーバとしてコンピュータを機能させるためのプログラムが記録された記録媒体。
【請求項１５】
請求項４記載の契約保管方法を実行するためのプログラムが記録された記録媒体。
【発明の詳細な説明】
技術分野
本発明は、ネットワークを用いた電子的契約保管方法、電子的契約証明方法、契約者サーバ、契約保管サーバ、電子的契約保管システム、および記憶媒体に関する。
背景技術
取引の際には何らかの契約を締結するのが通例であり、例えば商品の販売者とその購入者間で商品の販売時に契約が締結される。
近年インターネット上で商品の取引が行われることが多くなり、商品の販売者の取引用ホームページに契約内容が表示され、この契約内容に基づいて契約が締結される場合もある。
発明の開示
しかしながら、商品の販売後（契約締結後）に取引用ホームページ上の契約文が書き換えられる場合がある。
このとき販売者側と購入者側それぞれが契約時の契約文と考えているものにくい違いが生じる可能性がある。
この場合、購入者側に契約時の契約内容を立証する必要が生じ、この立証ができないことで購入者側が不当な不利益を被る可能性がある。
本発明はこのような課題を解決するためになされたもので、取引用ホームページの契約内容が書き換えられても、購入者（被契約者）側が契約内容（契約の文面）を証明できるようにすることを目的とする。
また本発明は、契約の内容を契約者以外の第三者が保管し、必要に応じて契約内容を証明することができる電子的契約保管方法、電子的契約保管システムを提供することを目的とする。
（１）上記目的を達成するために、本発明に係る契約保管方法は、契約内容の情報が保持された契約者サーバに接続した被契約者端末に該契約内容を表示させる契約内容表示ステップと、前記被契約者端末に前記契約内容表示ステップで表示させた契約内容の保管に同意する保管同意情報を入力させる契約保管同意ステップと、契約保管サーバに、前記契約保管同意ステップにより入力させた前記保管同意情報に対応する契約内容を保管させる契約保管ステップと、前記契約保管ステップで保管させた契約内容を識別する契約ＩＤを発行させるＩＤ発行ステップと、前記ＩＤ発行ステップで発行させた前記契約ＩＤを前記契約サーバおよび前記被契約者端末に通知させるＩＤ通知ステップとを具備することを特徴とする。
契約の内容が、契約者サーバ、被契約者端末のいずれとも異なる契約保管サーバに保管されているため、契約内容が改変されるおそれがない。契約保管サーバにアクセスすることで契約内容を確認、証明することができる。
（２）本発明に係る電子的契約証明方法は、被契約者端末が契約保管サーバに接続する接続ステップと、被契約者端末で、前記契約保管サーバに保管された契約内容の契約ＩＤを入力するＩＤ入力ステップと、前記ＩＤ入力ステップで入力された前記契約ＩＤに対応する契約内容を前記被契約者端末に提示する契約内容提示ステップとを具備することを特徴とする。
契約保管サーバに接続し、契約ＩＤを提示することで、契約内容が提示され、契約の内容を証明することができる。
（３）本発明に係る契約者サーバは、契約内容を被契約者端末に通知する契約内容通知部と、前記契約内容通知部によって契約内容を通知された前記被契約者端末に契約内容の保管に同意する保管同意情報の入力を促し、該保管同意情報を受付ける契約保管同意受付部と、前記契約保管同意受付部による保管同意情報の受付に対応して、契約保管サーバに対して前記契約内容の保管を依頼する契約保管依頼部と、前記契約保管依頼部による依頼に対応して保管された契約を識別する契約ＩＤを前記契約保管サーバから通知され、該契約ＩＤを前記被契約者端末に転送する契約ＩＤ転送部とを具備することを特徴とする。
契約者サーバが通知した契約内容が契約保管サーバに保管されるので、契約内容の改変を心配することなく被契約者端末と契約者サーバとの間で契約を締結できる。
（４）本発明に係る契約保管サーバは、契約内容の保管依頼を受付ける契約保管依頼受付部と、前記契約保管依頼受付部で保管依頼を受付けた前記契約内容の保管を指示する契約保管指示部と、前記契約保管依頼受付部で保管依頼を受付けた前記契約を識別する契約ＩＤを発行する契約ＩＤ発行部と、前記契約ＩＤ発行部で発行された前記契約ＩＤを通知する契約ＩＤ通知部とを具備することを特徴とする。
保管した契約内容について契約ＩＤが発行、通知されるので、契約ＩＤを用い契約保管サーバとアクセスすることで、契約内容を確認することができる。
発明を実施するための形態
以下、本発明の実施の形態を図面を参照して詳細に説明する。
図１は本発明に係る契約保管システムの構成を示すブロック図である。図１に示すように、契約者サーバ１０と被契約者端末２０、契約保管サーバ３０が互いにインターネット等のネットワーク４０を通じて接続されている。
契約者サーバ１０は、例えば商品の販売者のサーバコンピュータであり、契約用ページ（例えば、商品取引用ページ）を有するホームページをネットワーク４０上に開設する。
被契約者端末２０は、例えば商品の購入者のコンピュータであり、ネットワーク４０を通じて契約者サーバ１０に接続し契約者サーバ１０のホームページの内容の閲覧、商品の購入、そのときの契約の締結をネットワーク４０を通じて行う。
契約保管サーバ３０は、契約者サーバ１０と被契約者端末２０間で締結された契約内容の保管、および契約内容の証明を行う。
ここで、被契約者端末２０は、図１においては一つのみ示されているが、実際には多数の被契約者端末２０がネットワーク４０に接続されているのが通例である。また、１つの契約保管サーバ３０が複数の契約者サーバ１０における契約内容を保管しても差し支えない。
さらに、契約保管サーバ３０が１つの契約者サーバ１０に対して複数あっても差し支えない。後述のように、このときは必要に応じて、それぞれの契約内容を保管する契約保管サーバ３０を指定することができる。
契約者サーバ１０は、契約内容通知部１１，契約保管同意受付部１２，契約保管依頼部１３、契約ＩＤ転送部１４，送受信部１５から構成される。
契約内容通知部１１は、ネットワーク４０を通じて被契約者端末２０に契約内容を通知する。契約保管同意受付部１２は、被契約者端末２０に契約内容の保管に同意する保管同意情報の入力を促し、この保管同意情報を受付ける。契約保管依頼部１３は、契約保管同意受付部１２による保管同意情報の受付に対応して、契約保管サーバ３０に対して契約内容の保管を依頼する。契約ＩＤ転送部１４は、契約保管依頼部１３による依頼に対応して保管された契約を識別する契約ＩＤ（ＩＤｅｎｔｉｆｉｃａｔｉｏｎ）を契約保管サーバ３０から通知され、この契約ＩＤを被契約者端末２０に転送する。送受信部１５は、ネットワーク４０に接続し被契約者端末２０，契約保管サーバ３０との間で上記契約ＩＤ等の情報の送信、受信を行う。
被契約者サーバ２０は、表示部２１，入力部２２，記憶部２３、送受信部２４から構成される。
表示部２１は、例えばＣＲＴ、ＬＣＤ等の表示手段であり、契約者サーバ１０のホームページの閲覧、契約内容の表示等を行う。入力部２２は、例えばキーボード、マウス等であり、契約内容の保管に同意する保管同意情報の入力等を行う。記憶部２３は、メモリ等の記憶装置の他に、例えばハードスク等の補助記憶装置も含まれ契約ＩＤ等の情報を記憶する。送受信部２４は、ネットワーク４０に接続し契約者サーバ１０，契約保管サーバ３０との情報の送信、受信を行う。
契約保管サーバ３０は、契約保管依頼受付部３１，契約保管指示部３２，契約ＩＤ発行部３３，契約ＩＤ通知部３４，保管契約提示部３５，契約ＩＤ確認受付部３６，送受信部３７から構成され、契約内容の保管用にハードディスク等の補助記憶装置から構成される契約保管ＤＢ（データベース）３８が接続されている。
契約保管依頼受付部３１は、契約サーバ１０からの契約内容の保管依頼を受付ける。契約保管指示部３２は、契約保管依頼受付部３１での保管依頼の受付けに対応して、契約内容の保管を指示する。この指示により、契約内容は契約保管ＤＢ３８内に保管される。契約ＩＤ発行部３３は，契約保管依頼受付部３１での保管依頼の受付に対応して、契約内容を識別するための契約ＩＤを発行する。契約ＩＤ通知部３４は，契約ＩＤ発行部３３によって発行された契約ＩＤを契約者サーバ１０に通知する。保管契約提示部３５は，被契約者端末２０または契約者サーバ１０からの契約ＩＤの提示に対応して、契約ＩＤに対応する契約内容を通知（提示）する。契約ＩＤ確認受付部３６は，契約ＩＤ通知部３４で通知した契約ＩＤを確認した旨を表す契約ＩＤ確認情報を受付ける。送受信部３７は、ネットワーク４０に接続し契約者サーバ１０，被契約者端末２０との間で上記契約ＩＤ等の情報の送信、受信を行う。
以上の契約者サーバ１０，及び契約保管サーバ３０は、それぞれに保持された契約保管ソフトウェア、契約保管・証明ソフトウェアによって、コンピュータ上にそれぞれの機能を実現することで構築される。この契約保管ソフトウェア、契約保管・証明ソフトウェアは、契約内容の保管の際はネットワーク４０を通じて互いに連携することになる。
図２は、図１に示す契約保管システムにおける手続の概略を表すフロー図である。契約者サーバー１０と被契約者端末２０間で締結された契約の内容が契約保管サーバ３０に保管される（ステップＳ１００）。その後、契約保管サーバ３０に保管された契約内容は必要に応じて呼び出され契約内容の証明に用いられる（ステップＳ２００）。
図３は、図２のステップＳ１００に示す契約保管工程の詳細を表すフロー図である。
（１）契約者サーバ１０へ被契約者端末２０が接続し（ステップＳ１０１）、契約者サーバ１０に設置された例えば商品販売のホームページを閲覧する。
この閲覧内容は、被契約者端末２０の表示部２１上に表示される。被契約者（購入者）は、表示部２１によりホームページ上の商品を確認し、どの商品を購入するかを決定する。
（２）被契約者端末２０に契約内容が表示される（ステップＳ１０２）。
商品を購入する際に契約の締結が必要な場合は、契約者サーバ１０の契約内容通知部１１により契約内容が提示され、これが被契約者端末２０に表示される。具体的には、契約内容通知部１１の指示に基づき、契約内容の情報が送受信部１５を通じて被契約者端末２０に到達することにより契約内容の提示が行われる。被契約者端末２０に提示された契約内容は、表示部２１で表示される。この契約内容は、契約者サーバ１０のホームページ内に表すことができる。
図４は、契約内容を表示した表示画面の１例を示す図である。画面の上部に契約内容５０が、画面の下部に「契約内容に同意し契約内容を保管する」ボタン５１、「契約内容に同意するが契約内容を保管しない」ボタン５２，「契約内容に同意しない」ボタン５３が表示される。
これらのボタン５１〜５３は、契約に同意する旨の契約同意情報および契約内容の保管に同意する旨の保管同意情報の入力と対応する。ボタン５１のクリックは契約同意情報および保管同意情報の双方の入力を意味する。また、ボタン５２のクリックは、契約同意情報のみの入力を意味し、ボタン５３のクリックでは、契約同意情報及び保管同意情報のいずれも入力されないことになる。
（３）被契約者端末２０で保管同意情報が入力される（ステップＳ１０３）。
被契約者端末２０においてボタン５１がクリックされることで、保管同意情報の入力が行われる。入力された保管同意情報は契約者サーバ１０の契約保管同意受付部１２によって受け付けられる。
契約内容は契約保管サーバ３０に保管されるが、契約保管サーバ３０が複数あるときは、契約を保管する契約保管サーバ３０を選択することができる。この契約保管サーバ３０の選択は、被契約者端末２０から行っても差し支えない。例えば被契約者端末２０から契約保管サーバ３０のＩＰアドレスを入力することにより行える。また、契約者サーバ１０のホームページ上に表示された複数のサーバから選択させても良い。
このようにして契約保管サーバ３０が特定されたときは、以下の契約の保管等の手続は全てこの特定された契約保管サーバ３０において行われる。
なお、複数の契約保管サーバ３０に契約内容を保管しても差し支えない複数の契約保管サーバに同一の契約内容を保管すると契約保管、証明上のセキュリティが向上する。
（４）契約者サーバ１０から契約保管サーバ３０に契約内容の保管依頼が行われる（ステップＳ１０４）。
この依頼は契約保管依頼部１３からの情報に基づき行われる。このとき契約保管依頼部１３から送られる情報は、契約内容、契約内容の保管を依頼する旨の保管依頼情報、契約者と被契約者を識別する情報（住所、氏名、場合により契約者ＩＤ、被契約者ＩＤ）があり、さらに購入金額（取引額）、契約の有効期限、契約締結日等の契約関連情報が含まれうる。
（５）契約保管サーバ３０に契約内容が保管される（ステップＳ１０５）。
契約保管指示部３２の指示により、契約内容は契約保管ＤＢ３８上に保管される。このとき契約内容と一緒に送られた契約者と被契約者を識別する情報も保管され、さらに購入金額（取引額）、契約の有効期限、契約締結日等の契約関連情報が保管されうる。
契約の保管は、契約内容の一覧性の容易のため、契約者、契約区分等に応じて区分して保管することができる。
（６）契約保管サーバ３０の契約ＩＤ発行部３３は、保管した契約を識別するための契約ＩＤを発行する（ステップＳ１０６）。
契約ＩＤは、文字、数字、記号等を適宜に組み合わせて構成することができる。例えば、契約ＩＤの一部に、契約と対応する情報、例えば契約締結日を表す文字、数字（１例として、「Ｓｅｐ．２０．２０００」）を用いると契約との対比上便宜である。
必要に応じて契約ＩＤと対になるパスワードが発行される。契約保管サーバ３０が、契約ＩＤとパスワードの双方が提示されたときにのみ契約内容を開示するようにすれば契約内容の保持、証明におけるセキュリティが向上する。
契約ＩＤやパスワードを契約者サーバ１０と被契約者端末２０で異なるものとすることも可能である。このようにすると契約者サーバ１０と被契約者端末２０で別個に契約ＩＤとパスワードを管理することが出来、それぞれの必要に応じてパスワードを変更することができ便宜である。
（７）契約ＩＤ発行部で発行された契約ＩＤは、契約ＩＤ通知部３４により送受信部３７を通じて契約者サーバ１０に通知される（ステップＳ１０７）。
パスワードが発行されたときには、パスワードも含めた情報が契約者サーバ１０に通知される。なお、契約ＩＤ、パスワードが、契約者サーバ１０と被契約者端末２０で異なるときには、契約者サーバ１０には被契約者端末２０の契約ＩＤ、パスワードの情報が判らないような暗号化した形で送ることも可能である。
（８）契約者サーバが受け取った契約ＩＤはさらに契約ＩＤ転送部１４によって被契約者端末２０に転送され、被契約者端末２０で受け取られる（ステップＳ１０８）。
この転送内容は、契約者サーバ１０のホームページ上において被契約者端末２０に対してのみ表示される。
図５は、契約ＩＤを受け取ったときの被契約者端末２０上の表示画面の１例を示す図である。図５に示すように、表示画面上には、契約内容６０、契約ＩＤも含むその他の契約関連情報６１、メモの入力を促すメモ入力画面６２、「確認」ボタン６３、「契約破棄」ボタン６４が画面上に配置されている。
被契約者端末２０では、契約内容６０、契約ＩＤも含むその他の契約関連情報６１の確認を行い、メモ入力画面６２には必要に応じて覚え書き等のメモ情報の入力を行う。
ここで、「確認」ボタン６３のクリックは、契約内容、契約関連情報、契約ＩＤを確認した確認情報の入力を意味し、「契約破棄」ボタン６４の入力は契約内容、契約関連情報に何らかの不備がある等の理由で契約の破棄を希望する旨の破棄希望情報の入力を意味する。
「契約破棄」ボタン６４がクリックされたとき、入力された破棄希望情報は契約者サーバ１０を通じて契約保管サーバ３０に届けられる。契約保管サーバ３０は、保管した契約内容、契約関連情報等を契約保管ＤＢ３８上から消去する。
なお、パスワードが発行されたときは、パスワードは契約者サーバ１０のホームページ上に表示することができるが、電子メール等で別途送付することもできる。
（９）被契約者端末で契約ＩＤを確認した旨の確認情報が入力される（ステップＳ１０９）。
被契約者によって契約内容、契約ＩＤも含む契約関連情報が確認され、問題がなければ、「確認」ボタン６３をクリックすることで契約ＩＤを確認した旨の確認情報が入力される。
入力された確認情報およびメモ情報は、契約者サーバ１０を経由して、契約保管サーバ３０に転送される。
なお、「確認」ボタン６３のクリックの前後で、契約ＩＤと対応するパスワードを変更するための新たなパスワードを入力しても良い。これにより、契約保管の機密性をより高めることができる。
（１０）契約保管サーバ３０に送られた確認情報およびメモ情報は、契約ＩＤ確認受付部３６によって受け付けられ、既に保管された契約内容と共に契約保管ＤＢ３８上に追加して保管される（ステップＳ１１０）。
以上で、図２の契約内容保管ステップＳ１００は終了する。
次に図２の契約内容証明ステップＳ２００の詳細を説明する。
図６は、図２のステップＳ２００の詳細を表すフロー図である。
（１）契約保管サーバ１０に被契約者端末２０が接続する（ステップＳ２０１）。
例えば契約保管サーバ３０上に契約証明用ホームページを設置しておくと、被契約者端末２０での入力、表示上便宜である。
（２）被契約者端末２０において契約ＩＤおよび必要に応じたパスワードを入力する（ステップＳ２０２）。
この入力は例えば契約証明用ホームページ上の契約ＩＤの入力欄に対して行われる。契約ＩＤとこれに対応したパスワードが正しいときにのみ次のステップＳ２０３での契約内容の提示が行われる。
（３）被契約者端末２０に契約内容が提示される（ステップＳ２０３）。
この提示は、契約保管サーバ３０の保管契約提示部３５の指示により、契約ＩＤに対応する契約内容が送受信部３７を通じて被契約者端末２０に到達することによって行われる。
（４）契約者端末２０において、契約保管サーバ３０から送信された契約内容が確認される（ステップＳ２０４）。
この確認は、契約保管サーバ３０のホームページ上で契約内容、契約関連情報等を閲覧することで行っても良いし、契約保管サーバ３０から電子メールで送られた契約内容をプリントアウトすることで行っても良い。
要するに、契約内容が確認できるのであれば、契約保管サーバ３０からの送信手段、被契約者端末２０での確認手段としてどれを採用するかは問われない。
以上の実施形態は本発明の範囲内で拡張変更することができ、拡張変更した内容も本発明の技術的範囲内に含まれうる。
例えば、契約としては商品の販売の際に締結する契約に限らず、契約一般が含まれうる。即ち、契約者、被契約者は、商品の販売者、購入者に限られず、契約当事者一般を対象とすることができる。
また、本実施形態では契約者サーバのホームページを通じて契約を締結しているが、必ずしもこれに限られず電子メール等他の手段を用いて契約を締結する場合であっても差し支えない。
契約保管サーバは、契約を単に保管する以外にも契約の管理、例えば契約内容が更新されたときのバージョン管理を行い、契約保管依頼を受け付けた際に古いバージョンの契約の存在を通知することができる。また、契約の期限、更新期限等の期限管理を行い、必要に応じて被契約端末等に契約の期限が近づいていることを通知することもできる。
ネットワーク上での契約者サーバ，被契約者端末，契約証明サーバ相互の情報のやりとりは、契約内容等の秘密保持のため適宜に暗号化して行うことができる。
ネットワークとしてはインターネットに限られず、ＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）等ネットワーク一般が含まれうる。
産業上の利用可能性
本発明に係る契約保管方法では、契約者サーバと被契約者端末との間で締結した契約の内容を契約保管サーバに保管することで、後に被契約者端末あるいは契約者サーバが契約内容を確認することができる。
従い、本発明によれば契約内容の保管、確認を行える契約保管システム、このシステムを構成する契約者サーバ、被契約者端末、契約証明サーバを提供できる。
【図面の簡単な説明】
図１は本発明に係る契約保管システムの構成を示すブロック図である。
図２は、図１に示す契約保管システムにおける手続の概略を表すフロー図である。
図３は、図２に示すステップＳ１００（契約保管工程）の詳細を表すフロー図である。
図４は、契約保管システムの被契約者端末において契約内容を表示した表示画面の１例を示す図である。
図５は、契約ＩＤを受け取ったときの被契約者端末における表示画面の１例を示す図である。
図６は、図２に示すステップＳ２００（契約証明工程）の詳細を表すフロー図である。
【図１】
2002027573.tif 000003
【図２】
2002027573.tif 000004
【図４】
2002027573.tif 000005
【図３】
2002027573.tif 000006
【図５】
2002027573.tif 000007
【図６】
2002027573.tif 000008
【国際調査報告】
2002027573.tif 000009
2002027573.tif 000010
2002027573.tif 000011
2002027573.tif 000012